(57)【特許請求の範囲】
【請求項１】
洗浄される被介護者を着座させるためのシートと、
着座した被介護者の下半身を覆うとともに上方に開口する装置本体と、
前記装置本体内に配設され、被介護者の下半身に向けて洗浄水を噴出するための導管部と、
前記装置本体の上部開口部分に設けられ、被介護者の上半身を覆う上下方向伸縮自在な蛇腹部材と、
前記蛇腹部材の内側に設けられかつフレキシブルホースを介して前記導管部に接続された、被介護者の上半身に向けて洗浄水を噴出する噴出部と、
を備えた入浴装置。
【請求項２】
前記蛇腹部材の上部開口には、被介護者に当接する弾性部材が取り付けられている、
ことを特徴とする請求項１記載の入浴装置。
【発明の詳細な説明】
【０００１】
【産業上の利用分野】
本発明は、介護用の入浴装置、とくに被介護者の全身入浴が可能な入浴装置に関する。
【０００２】
【従来の技術およびその課題】
寝たきりの老齢者や、身障者、病人等の介護の必要な人達（以下、単に「被介護者」という）のための入浴装置として、たとえば特開平６−１２５９６５号公報に示すものが本件出願人により提案されている。この入浴装置は、当該公報の第１欄第３９〜４３行に記載されているように、被介護者を着座させる椅子と、着座した被介護者の腰下を覆う覆いと、覆い内部において被介護者の腰下に向かって水を噴射する導管とを備えている。
【０００３】
この入浴装置では、導管から水を噴射させることにより、被介護者を着座させた状態で入浴させることができるため、被介護者を浴槽に入れる場合に比べて介護者の負担を軽減できる。
【０００４】
しかしながら、前記従来の入浴装置は、被介護者の腰下のみを洗浄することを目的としている。その一方、入浴がままならない被介護者にとっては、下半身のみならず、上半身をも入浴したい場合がある。
【０００５】
本発明は、このような実情に鑑みてなされたもので、被介護者の希望に応じて全身入浴を行うことができる入浴装置を提供することを目的とする。
【０００６】
【課題を解決するための手段】
本発明に係る入浴装置は、洗浄される被介護者を着座させるためのシートと、着座した被介護者の下半身を覆うとともに上方に開口する装置本体と、前記装置本体内に配設され、被介護者の下半身に向けて洗浄水を噴出するための導管部と、前記装置本体の上部開口部分に設けられ、被介護者の上半身を覆う上下方向伸縮自在な蛇腹部材と、前記蛇腹部の内側に設けられかつフレキシブルホースを介して前記導管部に接続された、被介護者の上半身に向けて洗浄水を噴出する噴出部とを備えたことを特徴としている。
【０００７】
請求項２の発明に係る入浴装置は、請求項１において、被介護者に当接する弾性部材が前記蛇腹部材の上部開口に取り付けられていることを特徴としている。
【０００８】
【作用】
本発明に係る入浴装置の使用の際には、まず、シートに被介護者を着座させた状態で、被介護者の希望に応じて、蛇腹部材を伸縮させる。すなわち、被介護者が全身入浴を希望する場合には、蛇腹部材を伸ばして、その上端部分を被介護者のたとえば首の辺りに配置する。この状態から、装置本体内に洗浄水を導入して、導管部および噴出部から洗浄水を噴出させる。すると、被介護者の下半身は導管部からの洗浄水により洗浄され、また上半身は噴出部から噴出する洗浄水により洗浄される。
このようにして、簡単に被介護者が全身入浴を行うことができる。
【０００９】
一方、被介護者が下半身のみの入浴を希望する場合には、蛇腹部材を縮め、その上端部分を被介護者のたとえば腰の辺りに配置する。この状態から装置本体内に洗浄水を導入すると、導管部からの洗浄水により、下半身の洗浄が行われる。
【００１０】
【実施例】
以下、本発明の実施例を添付図面に基づいて説明する。
図１ないし図３は本発明の一実施例による入浴装置を説明するための図であり、図１は入浴装置の縦断面概略図、図２および図３は入浴装置の使用方法を説明するための図である。
【００１１】
図１および図２に示すように、この入浴装置１は、被介護者Ｐを着座させるシート２と、着座した被介護者Ｐの下半身を覆う装置本体３と、装置本体３内に配設された洗浄水噴出用の導管４とを備えている。
【００１２】
装置本体３は、被介護者Ｐが容易に出入りできるように、左半部および右半部からなる割型構造になっている。導管４には、装置外部の図示しないコックの開閉により、外部から洗浄水が供給されるようになっており、また導管４には、被介護者Ｐに向けて洗浄水を噴出するための複数の噴出孔４１が設けられている。シート２の座部には開孔２ａが形成されており、この開孔２ａを通って被介護者Ｐのとくに臀部に対して洗浄水が噴出されるようになっている。なお、装置本体３内において床面には、排水口２０が設けられている。
【００１３】
装置本体３の上部には、被介護者Ｐの上半身を受け入れるための開口が形成されており、該開口部４２には、上下方向伸縮自在な蛇腹５が取り付けられている。蛇腹５は、被介護者Ｐの周囲に配設された横断面円形状または矩形状の筒状部材であり、任意の高さ位置に保持できるように構成されている。蛇腹５の上部には、同様に上下方向に伸縮自在で任意の高さ位置に保持できる蛇腹６が連結部材７を介して取り付けられている。
【００１４】
蛇腹６上部の開口部８には、被介護者Ｐに当接するゴム製またはスポンジ製等の当接部１０が先端に装着された弾性部材９が取り付けられている。弾性部材９はたとえばゴム製の部材であって、その弾性変形により、弾性部材先端の当接部１０の開口径が変化する。これにより、蛇腹５，６が上下方向に移動した際にも、当接部１０が被介護者Ｐの体に常時密着するようになっている。この結果、入浴時に装置外に洗浄水が漏れ出るのを防止できるばかりでなく、装置の保温効果を高めることができる。
【００１５】
連結部材７および開口部８には、洗浄水を被介護者Ｐに向けて噴出するための噴出部７１，８１がそれぞれ設けられており、該各噴出部は被介護者Ｐの周囲の複数個所に配設されている。また各噴出部７１，８１には、導管４から洗浄水を導くためのフレキシブルホース７２，８２の一端がそれぞれ取り付けられている。このように、フレキシブルホース７２，８２を介して各噴出部７１，８１を導管４に接続したことにより、蛇腹５，６の上下動の際に各噴出部７１，８１と導管４との接続状態を円滑に維持できる。
【００１６】
次に、本実施例の作用効果について説明する。
入浴装置１の使用の際には、まず、被介護者Ｐを装置内に入れてシート２に着座させた状態で、被介護者Ｐの希望に応じ、蛇腹５，６を上下に移動させる。
【００１７】
たとえば、被介護者Ｐが全身入浴を希望する場合には、蛇腹５，６を上方に移動させて、蛇腹６上部の弾性部材９および当接部１０を被介護者Ｐのたとえば首の辺りに配置する（図１および図２参照）。これにより、被介護者Ｐの上半身が蛇腹５，６によって覆われることになる。この状態から、コックを開いて導管４内に洗浄水を導入し、各噴出孔４１から被介護者Ｐに向けて洗浄水を噴出させる。この洗浄水により、被介護者Ｐの下半身が洗浄される。
【００１８】
一方、導管４内に導入された洗浄水は、フレキシブルホース７２，８２を介して各噴出部７１，８１に導入され、該各噴出部から被介護者Ｐの上半身に向けて洗浄水が噴出する。これにより、被介護者Ｐの上半身が洗浄される。
このようにして、被介護者Ｐが全身入浴を行うことができる。
【００１９】
また、被介護者Ｐが下半身のみの入浴を希望する場合には、蛇腹５，６を下方に移動させて、蛇腹６上部の弾性部材９および当接部１０を被介護者Ｐのたとえば腰の辺りに配置する（図３参照）。この状態から、同様に導管４内に洗浄水を導入し、各噴出孔４１および各噴出部７１，８１から噴出する洗浄水により、被介護者Ｐの下半身の洗浄を行う。
【００２０】
このように、蛇腹５，６を適宜上下動させることにより、被介護者Ｐの希望に応じて全身入浴あるいは下半身入浴を行うことができる。また、この場合には、被介護者Ｐの上半身の全周を覆う上下方向伸縮自在な蛇腹から遮蔽部が構成されるので、全身入浴および下半身入浴の切換えを簡単に行うことができる。
【００２１】
次に、本発明の他の実施例による入浴装置について図４ないし図９を用いて説明する。
図４は入浴装置の全体斜視図、図５はその使用開始前の状態を説明するための図、図６ないし図９はその使用状態（全身入浴状態）を説明するための図である。
【００２２】
この入浴装置１００は、上方および前方に開口する箱状の装置本体１０１と、その前面側の開口１０１ａを閉塞するように設けられた開閉可能な前扉１０２とを備えている。装置本体１０１の内部には、被介護者Ｐが着座するためのシート１０３が設けられている。
【００２３】
シート１０３および装置本体１０１内には、装置外部から洗浄水が導入される導管１０５，１０６（図７および図９参照）がそれぞれ配設されており、各導管１０５，１０６には、シート１０３に着座した被介護者Ｐの下半身に向けて洗浄水を噴出させるための複数の噴出孔１０７が設けられている。なお、各噴出孔１０７のうち被介護者Ｐの上半身に近い部分に配置されたものには、洗浄水が放射状に拡がる、いわゆるスプレーイングノズルが採用されており、これにより、被介護者Ｐの腹部辺りにも洗浄水が噴出されるようになっている。また、装置本体１０１の底壁部には排水口１０８が設けられている。
【００２４】
装置本体１０１の側面にはレバー１１０が設けられており、このレバー１１０の操作により、前扉１０２の閉状態のロックおよびロック状態の解除が行われるようになっている。前扉１０２の上部には、被介護者Ｐが把持するための手摺１１２が配設されている。また、装置本体１０１の側面には操作パネル１１４が配設されており、この操作パネル１１４には、洗浄水導入のためのＯＮ／ＯＦＦスイッチおよび洗浄水の温度調節スイッチ等が設けられている。さらに、装置本体１０１の側面にはシャワー１１５が取り付けられている。
【００２５】
装置本体１０１の上部には、その左右両端部において前後方向に延びる一対のレール１１８が配設されている。各レール１１８の前端（図５紙面手前側端）は装置本体１０１の上部に係止され、後端（同図紙面奥側端）は連結部１１９によって連結されている。これにより、各レール１１８がその前端側を中心に上下方向に回動し得るようになっている。また、連結部１１９の中央部分には、被介護者Ｐを後方から支持するサポート部１２１が取り付けられている。
【００２６】
各レール１１８および連結部１１９の下方には、上下方向伸縮自在な蛇腹１２０が設けられており、この蛇腹１２０により、連結部１１９を任意の高さ位置に保持できるようになっている。
【００２７】
一方、前扉１０２内には、シャッター１２２が取り出し可能に収納されている。このシャッター１２２は、装置本体１０１の上側に形成された開口１０１ｂを閉塞するためのものであり、使用時には、その左右両端部が各レール１１８に支持されつつ、スライドするようになっている。シャッター１２２の先端には、被介護者Ｐを入れるための切欠き１２２ａが形成されている。また、連結部１１９上面の左右両端部には、シャッター１２２の先端を係脱自在に係合するためのマグネットまたは接着布等からなる係合片１２３が取り付けられている。
【００２８】
連結板１１９および蛇腹１２０の内側には、被介護者Ｐの上半身に向けて洗浄水を噴出するための噴出部１２４，１２５がそれぞれ設けられている。各噴出部１２４，１２５には、シート１０３内に配設された導管１０５から洗浄水を導くためのフレキシブルホース１２６，１２７がそれぞれ接続されている。
【００２９】
この場合において、被介護者Ｐを入浴させる際には、図５に示すように、まず前扉１０２を開け、シャワーチェア１３０に着座させた被介護者をシャワーチェア１３０ごと装置本体１０１内に入れる。次に、前扉１０２を閉め、レバー１１０をロックする。
【００３０】
この状態から、被介護者Ｐが全身入浴を希望する場合には、図６および図７に示すように、蛇腹１２０を持ち上げ、サポート部１２１を被介護者Ｐのたとえば首の辺りに配置するとともに、シャッター１２２を前扉１０２内から取り出してレール１１８に沿って引き出し、その先端を連結部１１９上の係合片１２３に係止させる。次に、導管１０５，１０６内に洗浄水を導入する。すると、各噴出孔１０７から被介護者Ｐの下半身に向けて洗浄水が噴出されるとともに、フレキシブルホース１２６，１２７を介して各噴出部１２４，１２５から被介護者Ｐの上半身に向けて洗浄水が噴出され、これにより、被介護者Ｐが全身入浴を行うことができる。
【００３１】
次に、被介護者Ｐが下半身のみの入浴を希望する場合には、図８および図９に示すように、蛇腹１２０を押し下げ、サポート部１２１を被介護者Ｐのたとえば腰の辺りに配置するとともに、シャッター１２２を引き出して、その先端を係合片１２３に係止させる。次に、導管１０５，１０６内に洗浄水を導入する。すると、各噴出孔１０７から被介護者Ｐの下半身に向けて洗浄水が噴出され、これにより、被介護者Ｐが下半身の洗浄を行うことができる。この洗浄時には、被介護者Ｐは手摺１１２を把持することによって、上半身を容易に支持することができる。
【００３２】
このように、蛇腹１２０を上下動させるとともにシャッター１２２をスライド移動させることにより、被介護者Ｐの希望に応じて全身入浴あるいは下半身入浴を行うことができる。
【００３３】
この場合には、被介護者Ｐの左右両側および背面側を覆う上下方向伸縮自在な蛇腹１２０と、被介護者Ｐの前面側において前後方向スライド自在なシャッター１２２とから遮蔽部が構成されるので、装置全体を大型化することなく、装置内に収容された被介護者Ｐの周囲に広い空間を確保することができる。これにより、被介護者Ｐがよりリラックスした状態で入浴することができる。また、シャッター１２２の切欠き１２２ａと被介護者Ｐとの間の距離が、シャッター１２２の移動量の調節によって変更可能なので、被介護者Ｐの体型に応じた調節が容易に行えるようになる。
【００３４】
【発明の効果】
以上のように本発明に係る入浴装置では、被介護者の上半身に向けて洗浄水を噴出する噴出部が設けられた蛇腹部材を伸縮自在に設けるようにしたので、被介護者の希望に応じて全身入浴を行うことができる効果がある。
【図面の簡単な説明】
【図１】本発明の一実施例による入浴装置の縦断面概略図。
【図２】前記入浴装置の使用状態（全身入浴状態）を説明するための図であって、図１の上部詳細図に相当する図。
【図３】前記入浴装置の使用状態（下半身入浴状態）を説明するための図。
【図４】本発明の他の実施例による入浴装置（変形例）の全体斜視図。
【図５】前記変形例の使用開始前の状態を説明するための図。
【図６】前記変形例の使用状態（全身入浴状態）を説明するための全体斜視図。
【図７】図６の縦断面概略図。
【図８】前記変形例の使用状態（下半身入浴状態）を説明するための全体斜視図。
【図９】図８の縦断面概略図。
【符号の説明】
１            入浴装置
２            シート
３            装置本体
４            導管（部）
４１          噴出孔
４２          開口部
５，６        蛇腹
８            開口部
９            弾性部材
１０          当接部
７１，８１    噴出部
７２，８２    フレキシブルホース
Ｐ            被介護者
【図１】
0003615269.tif 000002
【図２】
0003615269.tif 000003
【図３】
0003615269.tif 000004
【図４】
0003615269.tif 000005
【図５】
0003615269.tif 000006
【図６】
0003615269.tif 000007
【図７】
0003615269.tif 000008
【図８】
0003615269.tif 000009
【図９】
0003615269.tif 000010